(57)【要約】【課題】充電台から掃除機本体を切り離しても安全で使い勝手のよい電気掃除機を提供する。【解決手段】蓄電池を有する掃除機本体１と、内部に出し入れ自在に収納された電源コード５３を有し、上面に掃除機本体１が着脱自在に装着され、電源コード３がコンセントに接続されているときに蓄電池を充電する充電台５とを備え、掃除機本体１は、底面１ａに下方に突出して設けられた第１凸部１ｂと、第１凸部１ｂの先端部に設けられた第１端子１ｃとを有し、充電台５は、後上面部５１ｃに設けられた第１凹部５７と、第１凹部５７の底部に設けられた第２端子５７ａとを有し、掃除機本体１を充電台５に装着した際に、第１凹部５７に第１凸部１ｂが挿入されて第１端子１ｃと第２端子５７ａとが電気的に接続される。【選択図】図１１
2016021997.tif 000002
【特許請求の範囲】
【請求項１】
蓄電池を有する掃除機本体と、
内部に出し入れ自在に収納された電源コードを有し、上面に前記掃除機本体が着脱自在に装着され、前記電源コードがコンセントに接続されているときに前記蓄電池を充電する充電台とを備え、
前記掃除機本体は、
底面に下方に突出して設けられた第１凸部と、
前記第１凸部の先端部に設けられた第１端子とを有し、
前記充電台は、
上面に設けられた第１凹部と、
前記第１凹部の底部に設けられた第２端子とを有し、
前記掃除機本体を前記充電台に装着した際に、前記第１凹部に前記第１凸部が挿入されて前記第１端子と前記第２端子とが電気的に接続されることを特徴とする電気掃除機。
【請求項２】
前記充電台は、前記第１凹部の一方の側面を出し入れ自在に貫通して当該第１凹部内の第２端子を覆うシャッターを有し、
前記シャッターは、前記掃除機本体が前記充電台に装着される際に、前記第１凹部の一方の側面から引き出されて当該第１凹部を開状態にすることを特徴とする請求項１記載の電気掃除機。
【請求項３】
前記掃除機本体は、底面に下方に突出して設けられた第２凸部を有し、
前記充電台は、上面に設けられた第２凹部を有し、
前記シャッターは、前記第２凹部の一方の側面を出し入れ自在に貫通していると共に、前記第１凹部の一方の側面を出し入れ自在に貫通して当該第１凹部内の第２端子を覆い、前記掃除機本体が前記充電台に装着される際に前記第２凹部内に挿入された前記第２凸部により、前記第２凹部の一方の側面から押し出されると共に、前記第１凹部の一方の側面から引き出されて当該第１凹部を開状態にすることを特徴とする請求項２記載の電気掃除機。
【請求項４】
前記掃除機本体は、
前部に集塵部を有し、当該集塵部を除く底面の後部に設けられた複数の第３凸部と、
前記底面の前部に設けられた複数の第４凸部とを有し、
前記充電台の上面は、
前記集塵部が載置される前上面部と、
前記前上面部から直角に上方に延びる側面部と、
前記側面部から直角に水平に延びて形成され、後部に複数の第３凹部を有する後上面部とで構成され、
前記掃除機本体を前記充電台に装着した際に、前記複数の第３凸部が前記複数の第３凹部に差し込まれ、前記複数の第４凸部が前記側面部に接触して前記充電台を前後方向から挟むようし、前記掃除機本体を前記充電台から分離した際には、前記複数の第３凸部と前記複数の第４凸部とが前記掃除機本体の脚部として使用されることを特徴とする請求項１〜３の何れか１項に記載の電気掃除機。
【発明の詳細な説明】
【技術分野】
【０００１】
本発明は、例えば、一般家庭に使用される電気掃除機に関するものである。
【背景技術】
【０００２】
従来の電気掃除機として、吸引風を発する電動送風機、電動送風機を駆動する蓄電池、電動送風機を制御する制御基板および吸引風とともに吸込まれた塵埃を集塵する集塵部を有する掃除機本体と、電源コードの巻き取り部および蓄電池を充電するための充電回路を有する充電台とで構成されるものがある。この電気掃除機においては、充電台に移動可能とするキャスターと車輪とを備え、掃除機本体と充電台とが着脱自在に装着されたときに掃除機本体と充電台とが電気的に接続される構成となっている（例えば、特許文献１参照）。
【先行技術文献】
【特許文献】
【０００３】
【特許文献１】特開２００４−２２３１３４号公報（特許請求の範囲、図３−図５）
【発明の概要】
【発明が解決しようとする課題】
【０００４】
しかしながら、充電台から掃除機本体を切り離した際、掃除機本体と充電台とが電気的に接続されていた接続部（電極）が製品の表面に現れるため、人の手などが接触可能となり安全性に課題があった。
【０００５】
本発明は、前述のような課題を解決するためになされたもので、充電台から掃除機本体を切り離しても安全で使い勝手のよい電気掃除機を提供することを目的とする。
【課題を解決するための手段】
【０００６】
本発明に係る電気掃除機は、蓄電池を有する掃除機本体と、内部に出し入れ自在に収納された電源コードを有し、上面に掃除機本体が着脱自在に装着され、電源コードがコンセントに接続されているときに蓄電池を充電する充電台とを備え、掃除機本体は、底面に下方に突出して設けられた第１凸部と、第１凸部の先端部に設けられた第１端子とを有し、充電台は、上面に設けられた第１凹部と、第１凹部の底部に設けられた第２端子とを有し、掃除機本体を充電台に装着した際に、第１凹部に第１凸部が挿入されて第１端子と第２端子とが電気的に接続される。
【発明の効果】
【０００７】
本発明によれば、充電台の電源コードがコンセントに差し込まれて第２端子が通電状態となっていても、第２端子が第１凹部内に設置されているので、通電状態の第２端子に触りにくく安全性を向上させることができる。
【図面の簡単な説明】
【０００８】
【図１】本発明の実施の形態に係る電気掃除機の外観を示す側面図。
【図２】本発明の実施の形態に係る電気掃除機の掃除機本体から本体ケースを取り外した状態を示す斜視図。
【図３】本発明の実施の形態に係る電気掃除機の掃除機本体と充電台とを拡大して示す縦断面図。
【図４】本発明の実施の形態に係る電気掃除機の掃除機本体と充電台とを前方斜めから見て示す外観斜視図。
【図５】図１の掃除機本体と充電台とを後方斜めから見て示す外観斜視図。
【図６】図５の掃除機本体と充電台の外観を示す側面図。
【図７】本発明の実施の形態に係る電気掃除機をコードレススティック掃除機として使用した場合の側面図。
【図８】本発明の実施の形態に係る電気掃除機をハンディ掃除機として使用した場合の側面図。
【図９】本発明の実施の形態に係る電気掃除機の掃除機本体と充電台とが分離状態のときの縦断面図。
【図１０】図９の掃除機本体が充電台に載置される寸前の状態を示す縦断面図。
【図１１】図１０の掃除機本体が充電台に載置されたときの縦断面図。
【図１２】図１１の状態から掃除機本体を分離するときの縦断面図。
【発明を実施するための形態】
【０００９】
以下に、本発明に係る電気掃除機の実施の形態について、図面を用いて説明する。
図１は本発明の実施の形態に係る電気掃除機の外観を示す側面図、図２は本発明の実施の形態に係る電気掃除機の掃除機本体から本体ケースを取り外した状態を示す斜視図、図３は本発明の実施の形態に係る電気掃除機の掃除機本体と充電台とを拡大して示す縦断面図、図４は本発明の実施の形態に係る電気掃除機の掃除機本体と充電台とを前方斜めから見て示す外観斜視図、図５は図１の掃除機本体と充電台とを後方斜めから見て示す外観斜視図、図６は図５の掃除機本体と充電台の外観を示す側面図である。
【００１０】
実施の形態に係る電気掃除機は、図１に示すように、掃除機本体１と、先端部に把持部２ａを有し、後端部が掃除機本体１の集塵部１１の差込部１２に取り外し自在に差し込まれたホース２と、把持部２ａに取り外し自在に連結された延長管３と、延長管３に取り外し自在に連結された吸込み具４と、上面に掃除機本体１が取り外し自在に装着される充電台５とを備えている。吸込み具４には、被掃除面と対向する面に吸引口が設けられている。
【００１１】
掃除機本体１は、図２および図３に示すように、前部に取り外し自在に装着された集塵部１１と、電動送風機１３と、制御基板１４と、蓄電池１５とを備えている。掃除機本体１の上部には、ハンドル１６が設けられている。このハンドル１６には、掃除機本体１の運転を操作する操作部１６ａが装着されている。
【００１２】
電動送風機１３は、例えば、交流および直流の何れでも駆動可能なユニバーサルモーター１３ａと、ユニバーサルモーター１３ａの回転軸に装着されたファン１３ｂとで構成されている。ユニバーサルモーター１３ａは、電動ケース１３ｃによって覆われている。この電動送風機１３は、吸込風を発生させて吸込み具４から被掃除面上の塵埃を吸引し、延長管３およびホース２を介して集塵部１１に集塵する。
【００１３】
制御基板１４には、蓄電池１５を充電する充電回路、直流電源および交流電源の何れかを電動送風機１３に供給し、操作部１６ａの操作に基づいて電動送風機１３の回転を制御する制御回路等が設けられている。蓄電池１５には、例えばリチウムイオン電池が使用されている。
【００１４】
充電台５は、走向方向に直交する幅方向の両側面に回転自在に取り付けられた車輪５４と、集塵部１１が載置される前部内側に回転自在に設けられたキャスター５５とを備えている。また、充電台５の上面は、集塵部１１が載置される前上面部５１ａと、前上面部５１ａから直角に上方に延びる側面部５１ｂと、側面部５１ｂから直角に水平に延びて形成された後上面部５１ｃとで構成されている。この後上面部５１ｃには、集塵部１１を除く掃除機本体１が装着される。
【００１５】
この充電台５の内部には、電源コード５３の巻き取り部５２が収納されている（図３参照）。巻き取り部５２は、電源コード５３を巻き付けるコード巻き付け部５２ａと、コード巻き付け部５２ａを電源コード５３の巻き付け方向に付勢するゼンマイ５２ｂと、コード巻き付け部５２ａを回転自在に保持する軸部５２ｃとで構成されている。
【００１６】
掃除機本体１の上部には、図４に示すように、本体分離ボタン１７が設けられている。この本体分離ボタン１７は、掃除機本体１を正面から見て例えば左側に配置されており、掃除機本体１を充電台５から分離させるための押しボタンである。
【００１７】
掃除機本体１の集塵部１１を除く底面１ａの後部、例えば角部には２つの第３凸部１８が設けられている（図５および図６参照）。また、底面１ａの前部には、集塵部１１の一部を挟むように２つの第４凸部１９が設けられている。第３凸部１８は、掃除機本体１の後側に開口部１８ａを有する箱形状に形成されている。第４凸部１９は、掃除機本体１を後方から見て横長の直方体形状に形成されている。
【００１８】
充電台５の後上面部５１ｃの後部には、掃除機本体１の第３凸部１８が差し込まれる第３凹部５６が設けられている。この第３凹部５６には、第３凸部１８が差し込められた際に、第３凸部１８の開口部１８ａに入り込んで第３凸部１８を係止する突起片５６ａが設けられている。また、充電台５の後上面部５１ｃの前部には、後述する第１凹部５７と第２凹部５８とが設けられている。
【００１９】
掃除機本体１を充電台５に装着した際に、２つの第３凸部１８がそれぞれ第３凹部５６に差し込まれ、２つの第４凸部１９が充電台５の側面部５１ｂに接触して充電台５を前後方向から挟む。本体分離ボタン１７の操作により掃除機本体１を充電台５から分離した際には、２つの第３凸部１８と２つの第４凸部１９とが掃除機本体１の脚部として使用される。
【００２０】
前述した電気掃除機の使用形態について、図１、図４、図７および図８を用いて説明する。
図７は本発明の実施の形態に係る電気掃除機をコードレススティック掃除機として使用した場合の側面図、図８は本発明の実施の形態に係る電気掃除機をハンディ掃除機として使用した場合の側面図である。
【００２１】
図４に示すように、掃除機本体１を充電台５に装着して、電源コード５３をコンセントに差し込んでいるときには、後述するが、掃除機本体１の蓄電池１５が充電される。この状態において、吸込み具４と延長管３とが連結されたホース２を集塵部１１の差込部１２に差し込んだ場合は、床用掃除機として使用することができる。その際、制御基板１４によって、交流電源が電動送風機１３に供給される。
【００２２】
本体分離ボタン１７の操作により掃除機本体１を充電台５から分離した場合は、図１に示すように、コードレス床用掃除機として使用することができる。この場合、掃除機本体１の底面に設けられた２つの第３凸部１８と２つの第４凸部１９とが脚部として使用される。また、図７に示すように、吸込み具４が連結された延長管３を集塵部１１の差込部１２に差し込んだ場合は、コードレススティック掃除機として使用することができる。さらに、図８に示すように、吸込み具４のみを集塵部１１の差込部１２に差し込んだ場合は、ハンディ掃除機として使用することができる。
【００２３】
次に、掃除機本体１を充電台５に装着した際に、双方が電気的に接続される仕組みについて、図９〜図１２を用いて説明する。
図９は本発明の実施の形態に係る電気掃除機の掃除機本体と充電台とが分離状態のときの縦断面図、図１０は図９の掃除機本体が充電台に載置される寸前の状態を示す縦断面図、図１１は図１０の掃除機本体が充電台に載置されたときの縦断面図、図１２は図１１の状態から掃除機本体を分離するときの縦断面図である。
【００２４】
掃除機本体１は、図９に示すように、底面１ａに下方に突出して設けられた第１凸部１ｂおよび第２凸部１ｄと、第１凸部１ｂの先端部に設けられた第１端子１ｃとを有している。充電台５は、後上面部５１ｃに設けられた第１凹部５７および第２凹部５８と、第１凹部５７の底部に設けられた第２端子５７ａとを有している。第１凸部１ｂは、上部が開口された溝形状の凸部である。第２凸部１ｄは、第１凸部１ｂ側の側面が開口されている。
【００２５】
この第２凸部１ｄには、ラッチ２０の先端部が挿入され、その開口から爪部２０ａが突出している。ラッチ２０は、掃除機本体１の底面１ａに設けられた支持台２５を支点として、掃除機本体１の幅方向に回動するように構成されている。このラッチ２０の上端部には、ラッチ２０の回動に応じて掃除機本体１の幅方向に動作する継ぎ手部２２が設けられている。
【００２６】
第１凹部５７および第２凹部５８の一方の側面（充電台５を前方から見て左側の側面）には、スリット形状の長穴５７ｂ、５８ａが設けられている。これらの長穴５７ｂ、５８ａには、板形状のシャッター５９の一部が出し入れ自在に貫通している。つまり、シャッター５９の第１凹部５７内の一部は、バネ５９ａの付勢力によって第１凹部５７内の第２端子５７ａを覆っており、また、シャッター５９の第２凹部５８内の一部は、掃除機本体１の第２凸部１ｄの先端が挿入されるように、隙間を有した状態で第２凹部５８内に挿入されている。
【００２７】
前述した本体分離ボタン１７には、鉛直方向に延びる連動部材１７ａが連結され、本体分離ボタン１７の内部にバネ１７ｂが設けられている。本体分離ボタン１７をバネ１７ｂの付勢力に抗して下方に押したときには、連動部材１７ａの突起部１７ｃにより、継ぎ手部２２が第１凸部１ｂ側に押される。この時、継ぎ手部２２に連動してラッチ２０が支持台２１を支点として、時計回りに回転して爪部２０ａが第２凹部５８内に移動する。
【００２８】
図１０に示すように、掃除機本体１が充電台５に装着される際、シャッター５９は、第２凹部５８内に挿入された第２凸部１ｄにより、バネ５９ａの付勢力に抗して第２凹部５８の長穴５８ａから押し出されると共に、第１凹部５７の長穴５７ｂから引き出されて第１凹部５７を開状態にする。そして、図１１に示すように、掃除機本体１を充電台５に載置したときには、掃除機本体１の第１凸部１ｂが第１凹部５７内に挿入されて第１端子１ｃと第２端子５７ａとが電気的に接続されると共に、第２凸部１ｄが第２凹部５８内に挿入される。
【００２９】
一方、掃除機本体１を充電台５に載置したときに、ラッチ２０の爪部２０ａが充電台５の後上面部５１ｃに係止して、掃除機本体１が充電台５に装着された状態となる。また、本体分離ボタン１７を下方に押したときには、連動部材１７ａの突起部１７ｃにより、継ぎ手部２２が第１凸部１ｂ側に押される。この時、継ぎ手部２２に連動してラッチ２０が支持台２１を支点として、時計回りに回転して爪部２０ａが第２凹部５８内に移動し、掃除機本体１の充電台５への装着が解除される（図１２参照）。
【００３０】
以上のように実施の形態によれば、充電台５の電源コード５３がコンセントに差し込まれて第２端子５７ａが通電状態となっていても、第２端子５７ａが第１凹部５７内に設置され、第２端子５７ａの上方にシャッター５９により覆われている。このため、通電状態の第２端子５７ａに触りにくく安全性を向上させることができる。
【００３１】
また、掃除機本体１を充電台５から分離した場合、掃除機本体１の底面１ａに設けられた第３凸部１８および第４凸部１９を脚部として使用できるので、掃除機本体１の分離状態での設置の安定性が増し使い勝手が向上する。
【符号の説明】
【００３２】
１  掃除機本体、１ａ  底面、１ｂ  第１凸部、１ｃ  第１端子、１ｄ  第２凸部、２  ホース、２ａ  把持部、３  延長管、４  吸込み具、５  充電台、１１  集塵部、１２  差込部、１３  電導送風機、１３ａ  ユニバーサルモーター、１３ｂ  ファン、１３ｃ  電動ケース、１４  制御基板、１５  蓄電池、１６  ハンドル、１６ａ  操作部、１７  本体分離ボタン、１７ａ  連動部材、１７ｂ  バネ、１７ｃ  突起部、１８  第３凸部、１８ａ  開口部、１９  第４凸部、２０  ラッチ、２０ａ  爪部、２１  支持台、２２  継ぎ手部、５１ａ  前上面部、５１ｂ  側面部、５１ｃ  後上面部、５２  巻き取り部、５２ａ  コード巻き付け部、５２ｂ  ゼンマイ、５２ｃ  軸部、５３  電源コード、５４  車輪、５５  キャスター、５６  第３凹部、５６ａ  突起片、５７  第１凹部、５７ａ  第２端子、５７ｂ  長穴、５８  第２凹部、５８ａ  長穴、５９  シャッター、５９ａ  バネ。
【図１】
2016021997.tif 000003
【図２】
2016021997.tif 000004
【図３】
2016021997.tif 000005
【図４】
2016021997.tif 000006
【図５】
2016021997.tif 000007
【図６】
2016021997.tif 000008
【図７】
2016021997.tif 000009
【図８】
2016021997.tif 000010
【図９】
2016021997.tif 000011
【図１０】
2016021997.tif 000012
【図１１】
2016021997.tif 000013
【図１２】
2016021997.tif 000014